(57)【要約】【課題】イオン生成用放電針上の炭化を阻止し、放電針の寿命を延し、かつイオン生成ユニットの性能の低下を防ぐ。【解決手段】用紙スタックを起立または傾斜状態に支持する受け部２と、受け部を振動させる振動ユニットと、送風機と、送風機の吐出口及び受け部のエア吹出口５を接続する給気路と、送風機の回転速度を制御してエア吹出口から放出されるエア量を調節するエア量調節部と、エア吹出口から放出されるエアにイオンを供給するイオン生成ユニットを備える。イオン生成ユニットは、エア吹出口または給気路に配置された放電針と、放電針に高電圧を供給する高電圧供給部を有する。エア吹出口から放出されるエア量に基づいてイオン生成ユニットの作動および停止を切り替えるイオン生成動作切替部を備える。エア量が閾値を超えたときにのみ、イオン生成ユニットが作動する。【選択図】図１
2019214461.tif 000002
【特許請求の範囲】
【請求項１】
用紙処理装置から順次排出された用紙からなる用紙スタックの側面を揃える装置であって、
前記用紙スタックを１つの隅角部が当該隅角部と隣り合う２つの隅角部よりも下になる配置で傾斜させて支持する受け部を備え、
前記受け部は、前記用紙スタックの下面または上面に対向する第１の面と、前記用紙スタックの前記１つの隅角部をなす２つの側面をそれぞれ支持する第２および第３の面とを有し、前記第２および第３の面のうちの少なくとも一方には、前記側面にエアを吹き付けるための１または２以上のエア吹出口が形成されており、さらに、
前記受け部を振動させ得る振動ユニットと、
送風機と、
前記送風機の吐出口および前記受け部の前記エア吹出口の間にのびる給気路と、
前記送風機の回転速度を制御して、前記エア吹出口から放出されるエア量を調節するエア量調節部と、
前記エア吹出口から放出されるエアにイオンを供給し得るイオン生成ユニットと、を備え、
前記イオン生成ユニットは、
前記エア吹出口または前記給気路に配置された１または２以上の放電針と、
前記放電針に放電用高電圧を供給する高電圧供給部と、を有し、
前記放電針からの放電によってイオンが生成されるようになっており、
前記受け部が前記用紙スタックを支持した状態で振動しつつ、前記受け部の前記エア吹出口から前記用紙スタックの前記側面にイオンを含んだエアが吹き付けられる装置において、
前記エア吹出口から放出されるエア量に基づいて前記イオン生成ユニットの作動および停止を切り替えるイオン生成動作切替部を備え、
前記エア量が予め決定された閾値を超えたときにのみ、前記イオン生成ユニットが作動するものであることを特徴とする装置。
【請求項２】
前記エア量調節部がエア量調節つまみを有し、
前記イオン生成動作切替部は、
前記エア量調節つまみの回転軸に対し、前記エア量調節つまみと一体に回転可能に取り付けられたカムと、
前記カムの端縁に対向して配置された押圧スイッチと、を有し、
前記カムは、前記エア調節つまみがゼロ点から前記閾値までの目盛範囲内で回転するとき前記押圧スイッチに圧接して、前記押圧スイッチをＯＮ状態にするが、前記エア量調節つまみが前記閾値から最大値までの目盛範囲内で回転するとき前記押圧スイッチから離間して、前記押圧スイッチをＯＦＦ状態にする形状をなし、
前記押圧スイッチがＯＦＦ状態のとき、前記イオン生成ユニットが作動することを特徴とする請求項１に記載の装置。
【請求項３】
前記エア量調節部がエア量調節つまみを有し、
前記イオン生成動作切替部は、
前記エア量調節つまみの回転軸に対し、前記エア量調節つまみと一体に回転可能に取り付けられたカムと、
前記カムの端縁に対向して配置された押圧スイッチと、を有し、
前記カムは、前記エア量調節つまみがゼロ点から前記閾値までの目盛範囲内で回転するとき前記押圧スイッチから離間して、前記押圧スイッチをＯＦＦ状態にするが、前記エア量調節つまみが前記閾値から最大値までの目盛範囲内で回転するとき前記押圧スイッチに圧接して、前記押圧スイッチをＯＮ状態にする形状をなし、
前記押圧スイッチがＯＮ状態のとき、前記イオン生成ユニットが作動することを特徴とする請求項１に記載の装置。
【請求項４】
前記エア量調節部がエア量調節つまみを有し、
前記イオン生成動作切替部は、
前記エア量調節つまみに対し、前記エア量調節つまみと一体に回転可能に取り付けられた被検出部材と、
前記被検出部材を検出する近接センサと、を有し、
前記エア量調節つまみがゼロ点から前記閾値までの目盛範囲内で回転するとき、前記被検出部材は前記近接センサの検出エリア外にあるが、前記エア量調節つまみが前記閾値から最大値までの目盛範囲内で回転するとき、前記被検出部材が常時前記近接センサによって検出され、
前記被検出部材が前記近接センサによって検出されている間、前記イオン生成ユニットが作動することを特徴とする請求項１に記載の装置。
【請求項５】
前記エア量調節部がエア量調節つまみを有し、
前記イオン生成動作切替部は、
前記エア量調節つまみに対し、前記エア量調節つまみと一体に回転可能に取り付けられた被検出部材と、
前記被検出部材を検出する近接センサと、を有し、
前記エア量調節つまみがゼロ点から前記閾値までの目盛範囲内で回転するとき、前記被検出部材は常時前記近接センサによって検出されるが、前記エア量調節つまみが前記閾値から最大値までの目盛範囲内で回転するとき、前記被検出部材は前記近接センサの検出エリア外にあり、
前記被検出部材が前記近接センサによって検出されていない間、前記イオン生成ユニットが作動することを特徴とする請求項１に記載の装置。
【請求項６】
前記イオン生成動作切替部は、
前記閾値が予め記憶されたメモリと、
前記給気路を流れるエア量を測定する風量計または風速計と、を有していて、
前記イオン生成動作切替部が、前記風量計または前記風速計の測定値を前記閾値と比較し、前記測定値が前記閾値を超えていると判定したとき、前記イオン生成ユニットを作動させることを特徴とする請求項１に記載の装置。
【請求項７】
前記エア量調節部は、前記エア吹出口から放出される前記エア量の設定値の入力を受けるタッチパネル式ディスプレイを有し、
前記イオン生成動作切替部は、前記閾値が予め記憶されたメモリを有していて、
前記イオン生成動作切替部が、前記タッチパネル式ディスプレイから入力された前記設定値が前記閾値を超えていると判定したとき、前記イオン生成ユニットを作動させることを特徴とする請求項１に記載の装置。
【発明の詳細な説明】
【技術分野】
【０００１】
本発明は、プリンタや丁合機等の用紙処理装置から順次排出された用紙からなる用紙スタックの側面を揃える装置に関するものである。
【背景技術】
【０００２】
プリンタや丁合機等の用紙処理装置の排紙口から順次排出された用紙は、用紙処理装置の用紙集積部または用紙処理装置の排紙口に接続された用紙集積装置において積層され、用紙スタックを形成する。
そして、この用紙スタックは、次工程での処理を迅速かつ円滑に行うために、その側面を揃えられた後に次工程に送られる。
【０００３】
しかし、この場合、プリンタや丁合機等の用紙処理装置から排出された用紙は静電気を帯びていて互いに密着しやすく、用紙スタックを形成する用紙を捌くことは容易ではないことから、手作業で用紙スタックの側面を揃えることは非常に面倒である。
そのため、従来技術においては、この用紙スタックの側面を揃える作業を支援する装置が存在する。
【０００４】
従来のこの種の装置としては、例えば、特許文献１に記載されたものがある。
特許文献１に記載された装置は、台枠と、台枠上に設置された支持フレームと、支持フレームの上部前面に設けられた受枠を備えている。受枠は、用紙束の直交する端面を傾斜状にして支持する２つの斜面部、および用紙束の裏面に対向する背面部を形成する。
【０００５】
また、装置は、受枠を振動させる加振手段と、受枠の斜面部から用紙束の端面に向けてエアを吹き付ける送風手段を有している。
加振手段は振動モータを有し、駆動モータの回転軸は偏心輪を介して受枠の背面部に結合されている。送風手段は、斜面部の裏側に形成された空気室と、空気室にエアを供給するためのブロアモータと、ブロアモータおよび空気室間にのびる送風管を有し、斜面部には、空気室と連通する複数のスリット状噴気口が形成されている。
【０００６】
装置は、さらに、受枠内に配置された用紙束の帯電電荷を除去するための除電手段を備えている。除電手段はイオン発生器からなり、イオン発生器は、受枠に配置されたイオン生成電極と、支持フレームの上部に内蔵された機器本体とから構成されている。
そして、イオン生成電極からの放電によって発生するイオンが、用紙束の端面に吹き付けられるエア中に放出されるようになっている。
【０００７】
また、台枠にはフットスイッチが設けられ、支持フレームには操作盤が設けられている。操作盤には、装置の運転を手動と自動に切り換えるための切換スイッチと、自動運転時の各手段の動作時間を設定するタイマ調整ダイヤルと、風量調整ダイヤルと、除電切換スイッチが設けられている。
【０００８】
そして、装置の手動運転時は、フットスイッチがＯＮ状態にある間、加振手段、送風手段および除電手段が全て動作する一方、フットスイッチがＯＦＦ状態のときは、加振手段、送風手段および除電手段が全て停止する。
一方、装置の自動運転時は、所定時間だけ加振手段、送風手段および除電手段が全て動作するモード、または、所定時間だけ送風手段のみが動作するモードの２つの設定モードがある。
【０００９】
通常、装置は手動運転され、このとき、まず、用紙束が受枠内に配置され、送風手段のエア量が、用紙束を構成する用紙のサイズ、紙質、枚数および密着度等に応じて調節された後、フットスイッチが作業者の足によって踏まれて装置の運転が開始され、その間に、受枠が振動しつつ、噴気口から用紙束の端面にイオンを含むエアが吹き付けられ、それによって、用紙束は帯電電荷を除去されつつ捌かれ、用紙束の側面が揃えられる。その後、作業者の足がフットスイッチから離されて装置の運転が停止される。
【００１０】
しかし、この場合、装置の運転時のエア量が多いときは、用紙束に含まれる紙粉等の異物がエアによってイオン生成電極の表面から吹き飛ばされつつ放電がなされるが、エア量が少ないときや、エアの吹き出しが停止されるときには、紙粉等の異物がイオン生成電極に付着しやすく、このイオン生成電極に付着した異物に放電による高電圧が印加されてイオン生成電極上で炭化する。その結果、イオンの放出量が減少して、除電手段（イオン発生器）の性能が低下するという問題があった。
【００１１】
そのため、通常、装置の運転前に、イオン生成電極をブラシ等で磨くことによってイオン生成電極上の付着物が除去される。
しかし、イオン生成電極はアクセスしにくい場所にあるので、毎回装置の運転前にこの付着物の除去作業を行うことは面倒であった。加えて、イオン生成電極がブラシ等で磨かれるとイオン生成電極が摩耗し、イオン生成電極の寿命が短くなるという問題があった。
【先行技術文献】
【特許文献】
【００１２】
【特許文献１】特開２００４−１９８４号公報
【発明の概要】
【発明が解決しようとする課題】
【００１３】
したがって、本発明の課題は、イオン生成電極上の炭化を阻止し、イオン生成電極の寿命を延ばすとともに、イオン発生器の性能の低下を防止することにある。
【課題を解決するための手段】
【００１４】
上記課題を解決するため、本発明によれば、用紙処理装置から順次排出された用紙からなる用紙スタックの側面を揃える装置であって、前記用紙スタックを１つの隅角部が当該隅角部と隣り合う２つの隅角部よりも下になる配置で傾斜させて支持する受け部を備え、前記受け部は、前記用紙スタックの下面または上面に対向する第１の面と、前記用紙スタックの前記１つの隅角部をなす２つの側面をそれぞれ支持する第２および第３の面とを有し、前記第２および第３の面のうちの少なくとも一方には、前記側面にエアを吹き付けるための１または２以上のエア吹出口が形成されており、さらに、前記受け部を振動させ得る振動ユニットと、送風機と、前記送風機の吐出口および前記受け部の前記エア吹出口の間にのびる給気路と、前記送風機の回転速度を制御して、前記エア吹出口から放出されるエア量を調節するエア量調節部と、前記エア吹出口から放出されるエアにイオンを供給し得るイオン生成ユニットと、を備え、前記イオン生成ユニットは、前記エア吹出口または前記給気路に配置された１または２以上の放電針と、前記放電針に放電用高電圧を供給する高電圧供給部と、を有し、前記放電針からの放電によってイオンが生成されるようになっており、前記受け部が前記用紙スタックを支持した状態で振動しつつ、前記受け部の前記エア吹出口から前記用紙スタックの前記側面にイオンを含んだエアが吹き付けられる装置において、前記エア吹出口から放出されるエア量に基づいて前記イオン生成ユニットの作動および停止を切り替えるイオン生成動作切替部を備え、前記エア量が予め決定された閾値を超えたときにのみ、前記イオン生成ユニットが作動するものであることを特徴とする装置が提供される。
【００１５】
本発明の好ましい実施例によれば、前記エア量調節部がエア量調節つまみを有し、前記イオン生成動作切替部は、前記エア量調節つまみの回転軸に対し、前記エア量調節つまみと一体に回転可能に取り付けられたカムと、前記カムの端縁に対向して配置された押圧スイッチと、を有し、前記カムは、前記エア調節つまみがゼロ点から前記閾値までの目盛範囲内で回転するとき前記押圧スイッチに圧接して、前記押圧スイッチをＯＮ状態にするが、前記エア量調節つまみが前記閾値から最大値までの目盛範囲内で回転するとき前記押圧スイッチから離間して、前記押圧スイッチをＯＦＦ状態にする形状をなし、前記押圧スイッチがＯＦＦ状態のとき、前記イオン生成ユニットが作動する。
【００１６】
本発明の別の好ましい実施例によれば、前記エア量調節部がエア量調節つまみを有し、前記イオン生成動作切替部は、前記エア量調節つまみの回転軸に対し、前記エア量調節つまみと一体に回転可能に取り付けられたカムと、前記カムの端縁に対向して配置された押圧スイッチと、を有し、前記カムは、前記エア量調節つまみがゼロ点から前記閾値までの目盛範囲内で回転するとき前記押圧スイッチから離間して、前記押圧スイッチをＯＦＦ状態にするが、前記エア量調節つまみが前記閾値から最大値までの目盛範囲内で回転するとき前記押圧スイッチに圧接して、前記押圧スイッチをＯＮ状態にする形状をなし、前記押圧スイッチがＯＮ状態のとき、前記イオン生成ユニットが作動する。
【００１７】
本発明のさらに別の好ましい実施例によれば、前記エア量調節部がエア量調節つまみを有し、前記イオン生成動作切替部は、前記エア量調節つまみに対し、前記エア量調節つまみと一体に回転可能に取り付けられた被検出部材と、前記被検出部材を検出する近接センサと、を有し、前記エア量調節つまみがゼロ点から前記閾値までの目盛範囲内で回転するとき、前記被検出部材は前記近接センサの検出エリア外にあるが、前記エア量調節つまみが前記閾値から最大値までの目盛範囲内で回転するとき、前記被検出部材が常時前記近接センサによって検出され、前記被検出部材が前記近接センサによって検出されている間、前記イオン生成ユニットが作動する。
【００１８】
本発明のさらに別の好ましい実施例によれば、前記エア量調節部がエア量調節つまみを有し、前記イオン生成動作切替部は、前記エア量調節つまみに対し、前記エア量調節つまみと一体に回転可能に取り付けられた被検出部材と、前記被検出部材を検出する近接センサと、を有し、前記エア量調節つまみがゼロ点から前記閾値までの目盛範囲内で回転するとき、前記被検出部材は常時前記近接センサによって検出されるが、前記エア量調節つまみが前記閾値から最大値までの目盛範囲内で回転するとき、前記被検出部材は前記近接センサの検出エリア外にあり、前記被検出部材が前記近接センサによって検出されていない間、前記イオン生成ユニットが作動する。
【００１９】
本発明のさらに別の好ましい実施例によれば、前記イオン生成動作切替部は、前記閾値が予め記憶されたメモリと、前記給気路を流れるエア量を測定する風量計または風速計と、を有していて、前記イオン生成動作切替部が、前記風量計または前記風速計の測定値を前記閾値と比較し、前記測定値が前記閾値を超えていると判定したとき、前記イオン生成ユニットを作動させる。
【００２０】
本発明のさらに別の好ましい実施例によれば、前記エア量調節部は、前記エア吹出口から放出される前記エア量の設定値の入力を受けるタッチパネル式ディスプレイを有し、前記イオン生成動作切替部は、前記閾値が予め記憶されたメモリを有していて、前記イオン生成動作切替部が、前記タッチパネル式ディスプレイから入力された前記設定値が前記閾値を超えていると判定したとき、前記イオン生成ユニットを作動させる。
【発明の効果】
【００２１】
本発明によれば、受け部のエア吹出口から放出されるエア量に基づいてイオン生成ユニットの作動と停止を自動的に切り替えるイオン生成動作切替部を設け、エア量が予め決定された閾値を超えたときにのみ、イオン生成ユニットを作動させるようにし、十分なエア量があって、イオン生成ユニットの放電針に紙粉等の異物が付着するおそれがない場合には、放電針から放電を行ってエアにイオンを供給する一方、エア量が少ない場合、またはエアが放出されない場合は、放電針からの放電を停止して、たとえ放電針に異物が付着しても、異物を炭化させないようにした。
【００２２】
こうして、イオン生成ユニットの放電針上における異物の炭化を阻止することができ、それによって、放電針の寿命を延ばすとともに、イオン生成ユニットの性能の低下を防止することができる。
【図面の簡単な説明】
【００２３】
【図１】本発明の１実施例による用紙スタックの側面を揃える装置の斜視図である。
【図２】図１の装置の正面図である。
【図３】図１の装置の受け部の第２の部分の背面側から見た斜視図である。
【図４】図１の装置の受け部の第２の部分に対するイオンを含んだエア供給系を示す概略図である。
【図５】図１の装置のイオン生成動作切替部の構成を示す図である。
【図６】図５のイオン生成動作切替部の動作を説明する斜視図である。
【図７】図５のイオン生成動作切替部の動作を説明する、図６に対応する正面図である。
【図８】イオン生成動作切替部の変形例を示す図である。
【発明を実施するための形態】
【００２４】
以下、添付図面を参照しつつ、本発明の構成を好ましい実施例に基づいて説明する。
図１は、本発明の１実施例による用紙スタックの側面を揃える装置の斜視図であり、図２は、図１の装置の正面図である。
図１および図２を参照して、本発明による装置は、基台１ａと、基台１ａに立設された支柱部１ｂと、支柱部１ｂの前面上部に取り付けられ、用紙スタック２０を１つの隅角部２０ａが当該隅角部２０ａに隣り合う２つの隅角部２０ｂ、２０ｃよりも下になる配置で傾斜させて支持する受け部２を備えている。
【００２５】
受け部２は、この実施例では、平板状の第１の部分２ａと、それぞれ第１の部分２ａの一方の面（以後、「第１の面」という。）３ａに起立し、互いに直角に配置された第２および第３の部分２ｂ、２ｃとからなっている。
そして、第２の部分２ｂおよび第３の部分２ｃの互いに対向する面（以後、「第２の面」および「第３の面」という。）３ｂ、３ｃは平坦に形成されている。
【００２６】
受け部２は、第１の部分２ａの他方の面が支柱部１ｂの前面に対向し、かつ第２および第３の部分２ｂ、２ｃが上向き末広がり状になる配置で、振動ユニット（図示しない）を介して支柱部１ｂに取り付けられている。
この場合、振動ユニットは公知の適当な構成を有しており、受け部２を振動させる役割を有している。
【００２７】
そして、受け部２の第１の面３ａが用紙スタック２０の下面（または上面）に対向し、受け部２の第２および第３の面３ｂ、３ｃは、それぞれ、用紙スタック２０の隅角部２０ａをなす２つの側面２０ｄ、２０ｅを支持するようになっている。
【００２８】
さらに、受け部２の第２および第３の部分２ｂ、２ｃのそれぞれにおける第１の面３ａと反対側の側縁に、用紙スタック２０の脱落を防止するガイド板４が設けられ、第２および第３の面３ｂ、３ｃから上向きに突出している。
【００２９】
この実施例では、支柱部１ｂの上部であって、受け部２および振動ユニットが取り付けられた部分が、受け部２の第１の部分２ａに平行にのびる水平軸のまわりに一定の角度範囲内で回動可能にかつ任意の回動位置に固定可能になっている。
それによって、受け部２は、第１の面３ａが垂直となる位置と、第１の面３ａが垂直方向に対し所定の最大角度まで傾斜した位置との間の任意の位置に固定され得る。
【００３０】
また、受け部２の第２および第３の面３ｂ、３ｃには、それぞれ、用紙スタック２０の側面２０ｄ、２０ｅにエアを吹き付けるための１または２以上のエア吹出口５が形成されている。エア吹出口５は、この実施例では、第２および第３の面３ｂ、３ｃのそれぞれに形成されたジグザグ状のスリットからなっている。
【００３１】
図３は、受け部２の第２の部分２ｂの背面側から見た斜視図であり、図４は、本発明の装置の受け部２の第２の部分２ｂに対するエア供給系を示す概略図である。
図３および図４を参照して、本発明による装置は、エア吹出口５に給気するための送風機６を内蔵している。そして、送風機６の吐出口がエア吹出口５と給気路７によって接続されている。
【００３２】
給気路７は、この実施例では、第２の部分２ｂの内部に設けられて、エア吹出口５に連通する空気室７ａと、送風機６の吐出口に結合されたバッファー７ｂと、空気室７ａおよびバッファー７ｂを接続する給気パイプ７ｃとから構成されている。
【００３３】
そして、送風機６から供給されるエアが、バッファー７ｂおよび給気パイプ７ｃを通って空気室７ａに導入され、空気室７ａからエア吹出口５を通じて放出され、受け部２に支持された用紙スタック２０の側面２０ｄ、２０ｅに吹き付けられるようになっている。
【００３４】
また、空気室７ａには、エア吹出口５から放出されるエアにイオンを供給し得るイオン生成ユニット８が配置されている。
イオン生成ユニット８は、エア吹出口５から間隔をあけて、かつエア吹出口５に対向して配置された複数の放電針９と、放電針９に放電用高電圧を供給する高電圧供給部（図示しない）を有している。
【００３５】
そして、イオン生成ユニット８が作動して、高電圧供給部から放電針９に対し放電用高電圧が印加されたとき、放電針９から放電が生じ、この放電によって空気の一部が電離し、イオンが生成されるようになっている。
【００３６】
なお、この実施例では、イオン生成ユニット８の放電針９を空気室７ａ（給気路７）に配置したが、放電針９をエア吹出口５に配置することもできる。
また、この実施例では、受け部２の第３の部分２ｃは第２の部分２ｂと同じ構成を有しているが、必要に応じて、第２の部分２ｂおよび第３の部分２ｃのうちのいずれか一方にだけエア吹出口５および当該エア吹出口５に対するエア給気系を備えるようにしてもよい。
【００３７】
支柱部１ｂの側面には、駆動ユニット、送風機６およびイオン生成ユニット８の動作を制御するための制御盤１０が備えられている。
そして、制御盤１０は、主電源スイッチ１８、および、送風機６の回転速度を制御してエア吹出口５から放出されるエア量を調節するエア量調節部（図示しない）等を有し、エア量調節部は、エア量調節つまみ１１を有している。
【００３８】
図示はしないが、本発明の装置は、外部電源に接続される電源コードを備えており、電源コードを通じて外部電源から電力供給を受ける。
また、基台１ａの前部上面には、フットスイッチ１２が備えられている。
そして、主電源スイッチ１８がＯＮ状態で、かつフットスイッチ１２がＯＮ状態にされたとき、振動ユニット、送風機６およびイオン生成ユニット８が外部電源に接続され、振動ユニットおよび送風機６は常に作動する。その後、フットスイッチ１２がＯＮ状態からＯＦＦ状態に切り替えられると、送風機６および振動ユニットが同時に停止する（または、送風機６が停止し、振動ユニットは一定時間経過後に停止する）とともに、イオン生成ユニット８は外部電源から切り離される。
【００３９】
本発明による装置は、さらに、エア吹出口５から放出されるエア量に基づいてイオン生成ユニット８の作動および停止を切り替えるイオン生成動作切替部を備えている。
このイオン生成動作切替部の構成を、図５に示した。
【００４０】
図５を参照して、イオン生成動作切替部１３は、この実施例では、エア量調節つまみ１１の回転軸１１ａに対し、エア量調節つまみ１１と一体に回転可能に取り付けられたカム１４と、カム１４の端縁に対向して配置された押圧スイッチ１５を有している。
【００４１】
図６は、このイオン生成動作切替部の動作を説明する斜視図であり、図６Ａにおいて、エア量調節つまみ１１はゼロ点の目盛位置にあり、図６Ｂにおいて、エア量調節つまみ１１は予め決定された閾値の目盛位置にあり、図６Ｃにおいて、エア量調節つまみ１１は最大値の目盛位置にある。
また、図７は、イオン生成動作切替部の動作を説明する、図６に対応する正面図であり、図７Ａは図６Ａに対応し、図７Ｂは図６Ｂに対応し、図７Ｃは図６Ｃに対応している。
【００４２】
この場合、エア量の閾値は、イオン生成ユニット８の放電針９に紙粉等の異物が付着するおそれがない最小限のエア量として予め決定される（例えば、エア量の最大値の３０％等）。
【００４３】
図７から明らかなように、カム１４の端縁は、回転軸１１ａを中心とする大径の第１の円弧状部分１４ａと、一端が第１の円弧状部分１４ａの一端に段差をもって接続する、回転軸１１ａを中心とする小径の第２の円弧状部分と、第１の円弧状部分１４ａの他端と第２の円弧状部分１４ｂの他端を接続する直線状部分１４ｃとから形成されている。
【００４４】
そして、カム１４は、図６および図７に示すように、エア調節つまみ１１がゼロ点から閾値までの目盛範囲内で回転するとき、第１の円弧状部分１４ａにおいて押圧スイッチ１５に圧接して、押圧スイッチ１５をＯＮ状態にする（図６Ａ、Ｂおよび図７Ａ、Ｂ参照）が、エア量調節つまみ１１が閾値から最大値までの目盛範囲内で回転するときは、押圧スイッチ１５から離間して、押圧スイッチ１５をＯＦＦ状態にする（図６Ｃおよび図７Ｃ参照）。
【００４５】
そして、主電源スイッチ１８およびフットスイッチ１２がＯＮ状態で、押圧スイッチ１５がＯＮ状態のときイオン生成ユニット８は作動しないが、押圧スイッチ１５がＯＦＦ状態のときイオン生成ユニット８が作動する
【００４６】
次に、本発明による装置の動作方法を説明する。
まず、プリンタや丁合機等の用紙処理装置から順次排出された用紙からなる用紙スタック２０が、起立状態で、本発明による装置の受け部２の第２および第３の面３ｂ、３ｃ上に置かれる。
【００４７】
次に、装置の主電源１８がＯＮ状態にされた後、制御盤１０のエア調節つまみ１１によって、エア吹出口５から放出されるエア量が、用紙スタック２０を構成する用紙のサイズ、紙質、枚数および密着度等に応じて設定される。
【００４８】
その後、フットスイッチ１２がＯＮ状態にされて装置が動作せしめられる。
そして、エア量がエア調節つまみ１１の目盛の閾値から最大値までの範囲内の値に設定された場合には、フットスイッチ１２がＯＮ状態にされている間、振動ユニット、送風機６およびイオン生成ユニット８が作動し、受け部２が用紙スタック２０を振動させつつ、用紙スタック２０の側面にエア吹出口５からイオンを含んだエアが吹き付けられる。
それによって、用紙スタック２０は、イオンによって除電されながら、振動とエア流によって捌かれ、用紙スタック２０の側面が揃えられる。
【００４９】
それに対し、エア量がエア調節つまみ１１の目盛のゼロ点から閾値まで範囲内の値に設定された場合には、フットスイッチ１２がＯＮ状態にされている間、振動ユニットおよび送風機６は動作するが、イオン生成ユニットは作動せず。それによって、用紙スタック２０は、受け部２の振動と、エア吹出口５からのエア流によって捌かれ、その側面が揃えられる。
【００５０】
こうして、用紙スタック２０の側面が揃えられると、フットスイッチ１２がＯＦＦ状態にされて装置が停止せしめられる。
【００５１】
なお、カム１４の形状は、この実施例に限定されず、例えば、カム１４が、エア量調節つまみ１１がゼロ点から閾値までの目盛範囲内で回転するとき押圧スイッチ１５から離間して、押圧スイッチ１５をＯＦＦ状態にするが、エア量調節つまみ１１が閾値から最大値までの目盛範囲内で回転するとき押圧スイッチ１５に圧接して、押圧スイッチ１５をＯＮ状態にする形状であってもよい。この場合には、押圧スイッチ１５がＯＮ状態のとき、イオン生成ユニット８が作動する。
【００５２】
本発明によれば、受け部２のエア吹出口５から放出されるエア量に基づいてイオン生成ユニットの作動と停止を自動的に切り替えるイオン生成動作切替部が設けられ、エア量が予め決定された閾値を超えたときにのみ、イオン生成ユニットが作動する。
それによって、十分なエア量があって、イオン生成ユニットの放電針に紙粉等の異物が付着するおそれがない場合には、放電針から放電がなされてエアにイオンが供給される一方、エア量が少ない場合、またはエアが放出されない場合は、放電針からの放電が停止されて、たとえ放電針に異物が付着しても、異物が炭化することはない。
【００５３】
こうして、イオン生成ユニットの放電針上における異物の炭化を阻止することができ、それによって、放電針の寿命を延ばすとともに、イオン生成ユニットの性能の低下が防止できる。
【００５４】
以上、本発明の好ましい実施例について説明したが、本発明の構成は上記実施例に限定されるものではなく、当業者が本願に添付の特許請求の範囲に記載した構成の範囲内で種々の変形例を案出し得ることは言うまでもない。
【００５５】
上記実施例では、イオン生成動作切替部が、エア量調節つまみの回転軸に対し、エア量調節つまみと一体に回転可能に取り付けられたカムと、カムの端縁に対向して配置された押圧スイッチを有するが、イオン生成動作切替部の構成は上記実施例に限定されない。
本発明の別の実施例によれば、図８に示すように、イオン生成動作切替部１３’は、エア量調節つまみ１１に対し、エア量調節つまみ１１と一体に回転可能に取り付けられた検知板（被検出部材）１６と、検知板１６を検出する近接センサ１７を有している。
【００５６】
この場合、エア量調節つまみ１１がゼロ点から閾値までの目盛範囲内で回転するとき、検知板１６は常時近接センサ１７によって検出されるが、エア量調節つまみ１１が閾値から最大値までの目盛範囲内で回転するとき、検知板１６は近接センサ１７の検出エリア外にある。
そして、検知板１６が近接センサ１７によって検出されていない間、イオン生成ユニット８が作動する。
【００５７】
あるいは、別の実施例によれば、エア量調節つまみがゼロ点から閾値までの目盛範囲内で回転するとき、検知板は近接センサの検出エリア外にあるが、エア量調節つまみが閾値から最大値までの目盛範囲内で回転するとき、検知板は常時近接センサによって検出される。
そして、検知板が近接センサによって検出されている間、イオン生成ユニットが作動する。
【００５８】
また、例えば、イオン生成動作切替部が、閾値が予め記憶されたメモリと、給気路を流れるエア量を測定する風量計または風速計を有していて、風量計または風速計の測定値を閾値と比較し、測定値が閾値を超えているとき、イオン生成ユニットを動作させる構成としてもよい。
【００５９】
また、例えば、エア量調節部が、エア量調節つまみの代わりに、エア吹出口から放出されるエア量の設定値の入力を受けるタッチパネル式ディスプレイを有し、イオン生成動作切替部が、閾値が予め記憶されたメモリを有していて、タッチパネル式ディスプレイから入力された設定値が閾値を超えているとき、イオン生成動作切替部がイオン生成ユニットを動作させる構成とすることもできる。
【００６０】
また、上記実施例では、本発明による装置を、用紙処理装置の用紙集積部や、用紙処理装置に接続された用紙集積装置とは分離した独立の装置としたが、本発明の装置を用紙処理装置の排紙口に接続して、本発明の装置を用紙集積装置としても使用し、用紙処理装置から順次排出された用紙を、集積しつつ、集積した用紙の側面を揃えることもできる。
【符号の説明】
【００６１】
１ａ  基台
１ｂ  支柱部
２  受け部
２ａ  第１の部分
２ｂ  第２の部分
２ｃ  第３の部分
３ａ  第１の面
３ｂ  第２の面
３ｃ  第３の面
４  ガイド板
５  エア吹出口
６  送風機
７  給気路
７ａ  空気室
７ｂ  バッファー
７ｃ  給気パイプ
８  イオン生成ユニット
９  放電針
１０  制御盤
１１  エア量調節つまみ
１１ａ  回転軸
１２  フットスイッチ
１３、１３’  イオン生成動作切替部
１４  カム
１５  押圧スイッチ
１６  検知板（被検出部材）
１７  近接スイッチ
１８  主電源スイッチ
２０  用紙スタック
２０ａ〜２０ｃ  隅角部
２０ｄ、２０ｅ  側面
【図１】
2019214461.tif 000003
【図２】
2019214461.tif 000004
【図３】
2019214461.tif 000005
【図４】
2019214461.tif 000006
【図５】
2019214461.tif 000007
【図６】
2019214461.tif 000008
【図７】
2019214461.tif 000009
【図８】
2019214461.tif 000010